(57)【特許請求の範囲】
【請求項１】
貫通孔を備えた回路基板に取り付けられた電気コネクタ部材であって、
回路基板を接合する組付け面を備え、該組付け面に隣接した一側面に絶縁本体を貫通する複数端子孔を設置した絶縁本体と、
前記端子孔内に収容され、且つ前記絶縁本体から延伸し回路基板に溶接する溶接部を有する端子と、
を含み、
前記絶縁本体の組付け面上に少なくとも一つの「Ｊ」字型固着部を一体に形成され、該固着部は組付け面に垂直し一定の長度を延伸した接続部と、該接続部の端部に設けられた鈎部とを含み、前記接続部の外側に鈎部が延伸した方向に対応された他側にリブを設け、且つ鈎部の端部の縁部から前記リブの外側縁までの間の水平距離は、回路基板の貫通孔の口径より大きく形成され、これによって、該電気コネクタ部材は所定の角度を傾斜して固着部がゼロ抵抗力で前記回路基板の貫通孔に挿入され、前記リブが回路基板の貫通孔に干渉し係合されることができることを特徴とする電気コネクタ部材。
【請求項２】
前記端子は、接触部と、絶縁本体の外部に露出した溶接部と、前記溶接部および前記接触部を接続する「Ｌ」字形の湾曲部とを含んだことを特徴とする請求項１記載の電気コネクタ部材。
【請求項３】
前記絶縁本体上に縦方向即ち前記複数端子孔の配列方向に沿って収容キャビティを設置し、該収容キャビティの端部は前記端子孔を連通することを特徴とする請求項１記載の電気コネクタ部材。
【請求項４】
前記電気コネクタ部材は、両固着部を設置し、且つ前記絶縁本体の組付け面の縦方向即ち前記端子孔の配列方向に沿った両端部に位置されたことを特徴とする請求項１記載の電気コネクタ部材。
【請求項５】
前記鈎部は、接続部に垂直し延伸され、該鈎部の端部の縁部は、前記絶縁本体に設けられた収容キャビティの当接面方向へ延伸したことを特徴とする請求項４記載の電気コネクタ部材。
【発明の詳細な説明】
【０００１】
【発明の属する技術分野】
本発明は一種電気コネクタ部材に関し、特に、固着機構によって回路基板に定位する電気コネクタ部材に関するものである。
【０００２】
【従来の技術】
周知の回路基板に組付けられた電気コネクタ部材は、従来、固着定位機構を設置し、それと回路基板上の定位孔とを干渉し合いことによって電気コネクタ部材の初期定位を提供することで、該電気コネクタ部材は溶接過程に生じた変位が回避できるものである。
【０００３】
前記従来の電気コネクタ部材に設けられた定位機構は、台湾実用新案の出願第８８２１９２６９号に掲示されたように、該電気コネクタ部材のボードロックは、金属材料から打ち抜いてなるもので、本体、一対のピン及びブリッジング装置を含む。前記ボードロックの本体は電気コネクタ部材の絶縁本体に組付けられ、該ボードロックが前記絶縁本体の外部に露出した前記ピンは、回路基板の貫通孔を貫通し、且つ二つのピンの間には前記ブリッジング装置を設置し、該ブリッジング装置は溶接した後、前記ピンの間に形成されブリッジにより、前記二つのピンを分け、前記電気コネクタ部材を回路基板上に締付けることになる。しかし、これらの金属材料から打ち抜いてなる固着機構は押抜き型が必要とし、且つ組付け工数が増加するため、コスト上では低減できないものである。
【０００４】
他の一種従来の電気コネクタ部材に設けられた定位機構は、台湾実用新案の出願第８８２１９０９８号に掲示されたように、該電気コネクタ部材は、端子と、該端子を収容するための絶縁本体とを含む。該絶縁本体に取付け面が設置され、該取付け面上に回路基板の貫通孔と干渉し合うための一対弾性脚が一体に形成される。該脚は弾性変形された後、前記回路基板の貫通孔に組込み干渉させる。そのため、長期に使用する場合、弾性部が塑性変形され、且つ前記弾性部は前記絶縁本体と一体に形成されたため、これらの絶縁材料から形成された弾性部は、材質の老化により弾性が低減され、前記電気コネクタ部材が回路基板に固着安定性が充分でなくなる。
【０００５】
【発明が解決しようとする課題】
本発明は、一種電気コネクタ部材と回路基板との間に組み付けの便利に、固く締付けられ、かつ製造コストも低減できるといった効果を有する電気コネクタ部材を提供することを目的とする。
【０００６】
【課題を解決するための手段】
本発明の電気コネクタ部材は、回路基板に組付けられ、複数の端子およびこれらの複数端子を収容するための絶縁本体を含む。前記絶縁本体に長方形組付け面を設置し、該組付け面上に少なくとも一つの「Ｊ」字形固着部が一体に成形され、且つ該固着部は、取付け面に垂直し一定の長さが延伸した接続部、及び該接続部の端部に設けられた鈎部を含み、前記接続部の外側に、前記鈎部が延伸した方向に対応する他側にリブを設置し、且つ回路基板上に前記固着部に対応する貫通孔が設置される。鈎部の端部の縁部から前記リブの外側の水平距離は、前記回路基板の貫通孔の口径より大きく形成されることによって、前記電気コネクタ部材が前記回路基板に位置決められるものである。
【０００７】
【実施例】
図１に示すように、本発明の電気コネクタ部材１は、回路基板４に設けられ、複数の端子３と、該複数端子３を収容する絶縁本体２とを含む。
【０００８】
前記絶縁本体２上は、縦長い収容キャビティ２１、長方形組付け面２３及び前記組付け面２３に垂直する当接面２５を設置し、且つ絶縁本体２は、前記当接面２５の一側部から遠く離れ、かつ回路基板４に近接した部位に板状の定位板２６が延出され、該定位板２６の縦方向に両列の定位孔２６１が設けられる。また前記収容キャビティ２１の縦方向の両側部に前記絶縁本体２を貫通する複数の端子孔２２は、端子３を収納するために用いられるものであり、且つ前記収容キャビティ２１の端部は端子孔２２に連通される。前記取付け面２３の縦方向の両端部は、それぞれ一体形成された「Ｊ」字形固着部２４を設け、該固着部２４は前記取付け面２３に垂直した、一定の長さが延伸した接続部２４１と、該接続部２４１の端部に設けられた鈎部２４２を含み、且つ前記鈎部２４２の端部の縁部は、前記絶縁本体２の当接面２５方向へ延伸し、前記接続部２４１の外側部は前記鈎部２４２が延伸した方向の他側にリブ２４３を設置する。前記回路基板４は、前記絶縁本体２の固着部２４に対応した位置に前記固着部２４を収容するための方形貫通孔４１および挿入孔４２が設置される。
【０００９】
前記端子４は、絶縁本体２の端子孔２２に取り付けられ、または回路基板４上に溶接可能とする。接触部３１、絶縁本体２の外部に露出した溶接部３２および前記溶接部３２と前記接触部３１とを接続する「Ｌ」字形湾曲部３３を含む。前記接触部３１は絶縁本体２の端子孔２２に収容され、前記溶接部３２は、定位板２６の定位孔２６１を貫通し、且つ回路基板４の挿入孔４２に挿入することによって、前記回路基板４に溶接するために用いられるものである。
【００１０】
図２及び図３に示すように、電気コネクタ部材１は回路基板４に溶接する前に、まず、前記絶縁本体２を前記回路基板４に対して一定の角度で傾斜させ、前記固着部２４の鈎部２４２の端部、及び前記接続部２４１のリブ２４３の外側縁部は、回路基板４の貫通孔４１の回りと干渉しないように、前記固着部２４をゼロ抵抗力で前記回路基板４の貫通孔４１に挿入させる。そして、外力で前記絶縁本体２を整列し、端子３の溶接部３２を弾性変形させ前記回路基板４の挿入孔４２に対応し挿入させる（図４、図５に示すように）。前記鈎部２４２の端部の縁部からリブ２４３の外側部までの水平距離は、前記回路基板４の貫通孔４１の口径より大きく形成され、且つ前記リブ２４３の外側縁部は、前記回路基板４の貫通孔４１において干渉しなげら、前記固着部２４の鈎部２４２を前記回路基板４の底面４３に当接させ、固着部２４が前記回路基板４の貫通孔４１から垂直に抜け出すことができないため、溶接前の電気コネクタ部材１と前記回路基板４との一定的な接続は、保証できるものである。
【００１１】
前記を総じて、本発明は特許の要件を合致しているので、法により登録すべきである。また、前記は単なる本発明の実施例にすぎず、本発明の技術を熟知している者が本考案の思想に基づきなしうる修飾或いは変更は、いずれも本考案の請求範囲に属するものとする。
【図面の簡単な説明】
【図１】本発明の電気コネクタと回路基板の立体分解図。
【図２】本発明の電気コネクタと回路基板とを組付ける過程においての立体図。
【図３】図２に示すＩＩＩ−ＩＩＩ線方向の断面図。
【図４】本発明の電気コネクタ部材と回路基板との組付けた後の立体図。
【図５】図４に示すＶ−Ｖ線方向の断面図。
【符号の説明】
１                          電気コネクタ
２                          絶縁本体
２１                        収容キャビティ
２２                        端子孔
２３                        取付け面
２４                        固着面
２４１                      接続部
２４２                      鈎部
２４３                      リブ
２５                        当接面
２６                        定位板
２６１                      定位孔
３                          端子
３１                        接触部
３２                        溶接部
３３                        湾曲部
４                          回路基板
４１                        貫通孔
４２                        挿入孔
４３                        底面
【図１】
0004091315.tif 000002
【図２】
0004091315.tif 000003
【図３】
0004091315.tif 000004
【図４】
0004091315.tif 000005
【図５】
0004091315.tif 000006